【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
（ａ）白色無香；白色芳香；着色無香；着色芳香；浸染無香；または浸染芳香である、ロウソクのワックスと、
（ｂ）安定剤として、
（ｉ）式Ｉ、ＩＩ、ＩＩＩ、ＩＶ、ＶまたはＶＩ：
【化１】
2004532306.tif 000001
2004532306.tif 000002
［式中、
ＸおよびＹは、独立に、フェニル、ナフチル、あるいは１〜３個の、炭素原子１〜６個のアルキル、ハロゲン、ヒドロキシ、炭素原子１〜６個のアルコキシ、またはそれらの混合物により置換されている前記フェニルまたは前記ナフチルであり；あるいはＸおよびＹは、独立に、Ｚ1またはＺ2であり；
Ｒ1は、水素、直鎖もしくは分枝鎖の炭素原子１〜２４個のアルキル、炭素原子５〜１２個のシクロアルキル、炭素原子７〜１５個のフェニルアルキル、ハロゲン、−ＳＲ3、−ＳＯＲ3、または−ＳＯ2Ｒ3；あるいは１〜３個の、ハロゲン、−Ｒ4、−ＯＲ5、−Ｎ（Ｒ5）2、−ＣＯＲ5、−ＣＯＯＲ5、−ＯＣＯＲ5、−ＣＮ、−ＮＯ2、−ＳＲ5、−ＳＯＲ5、−ＳＯ2Ｒ5もしくは−Ｐ（Ｏ）（ＯＲ5）2、モルホリニル、ピペリジニル、２，２，６，６−テトラメチルピペリジニル、ピペラジニルもしくはＮ−メチルピペリジニル基またはそれらの組み合わせで置換されている前記アルキル、前記シクロアルキルまたは前記フェニルアルキル；あるいは１〜４個の、フェニレン、−Ｏ−、−ＮＲ5−、−ＣＯＮＲ5−、−ＣＯＯ−、−ＯＣＯ−もしくは−ＣＯ基またはそれらの組み合わせで中断されている前記アルキルまたは前記シクロアルキル；あるいは上記の基の組み合わせで置換および中断されている前記アルキルまたは前記シクロアルキルであり；
Ｒ3は、炭素原子１〜２０個のアルキル、炭素原子３〜１８個のアルケニル、炭素原子５〜１２個のシクロアルキル、炭素原子７〜１５個のフェニルアルキル、炭素原子６〜１０個のアリールまたは１〜２個の炭素原子１〜４個のアルキルで置換されている前記アリールであり；
Ｒ4は、炭素原子６〜１０個のアリールまたは１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、または１〜３個の、ハロゲン、炭素原子１〜８個のアルキル、炭素原子１〜８個のアルコキシもしくはそれらの組み合わせでフェニル環が置換されている前記フェニルアルキル；あるいは直鎖もしくは分枝鎖の炭素原子２〜１８個のアルケニルであり；
Ｒ5は、Ｒ4と同義であり；あるいはＲ5はまた、水素または直鎖もしくは分枝鎖の炭素原子１〜２４個のアルキル、炭素原子２〜２４個のアルケニル；あるいはＲ5は、式：
【化２】
2004532306.tif 000003
（Ｔは、水素、オキシル、ヒドロキシル、−ＯＴ1、炭素原子１〜２４個のアルキル、１〜３個のヒドロキシで置換されている前記アルキル；ベンジルまたは炭素原子２〜１８個のアルカノイルであり；
Ｔ1は、炭素原子１〜２４個のアルキル、炭素原子５〜１２個のシクロアルキル、炭素原子２〜２４個のアルケニル、炭素原子５〜１２個のシクロアルケニル、炭素原子７〜１５個のフェニルアルキル、炭素原子７〜１２個の飽和もしくは不飽和の二環性もしくは三環性炭化水素の基または炭素原子６〜１０個のアリールあるいは１〜３個の炭素原子１〜４個のアルキルで置換されている前記アリール）で示される基であり）；
Ｒ2は、水素、直鎖もしくは分枝鎖の炭素原子１〜２４個のアルキルまたは炭素原子５〜１２個のシクロアルキル；あるいは１〜４個の、ハロゲン、エポキシ、グリシジルオキシ、フリルオキシ、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、−ＣＮ、−ＮＣＯ、もしくは
【化３】
2004532306.tif 000004
またはそれらの組み合わせで置換されている前記アルキルまたは前記シクロアルキル；あるいは１〜４個の、エポキシ、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレンもしくはフェニレン−Ｇ−フェニレン（式中、Ｇは−Ｏ−、−Ｓ−、−ＳＯ2−、−ＣＨ2−または−Ｃ（ＣＨ3）2−）またはそれらの組み合わせで中断されている前記アルキルまたは前記シクロアルキル、あるいは上記の基の組み合わせで置換および中断されている前記アルキルまたは前記シクロアルキルであり；あるいはＲ2は、−ＳＯ2Ｒ3または−ＣＯＲ6であり；
Ｒ6は、直鎖もしくは分枝鎖の炭素原子１〜１８個のアルキル、直鎖もしくは分枝鎖の炭素原子２〜１２個のアルケニル、フェノキシ、炭素原子１〜１２個のアルキルアミノ、炭素原子６〜１２個のアリールアミノ、−Ｒ7ＣＯＯＨまたは−ＮＨ−Ｒ8−ＮＣＯであり；
Ｒ7は、炭素原子２〜１４個のアルキレンまたはフェニレンであり；
Ｒ8は、炭素原子２〜２４個のアルキレン、フェニレン、トリレン、ジフェニルメタンまたは基：
【化４】
2004532306.tif 000005
であり；
Ｒ1、Ｒ1′およびＲ1″は、同一であるかまたは異なり、そしてＲ1と同義であり；
Ｒ2、Ｒ2′およびＲ2″は、同一であるかまたは異なり、そしてＲ2と同義であり；
Ｘ、Ｘ′、ＹおよびＹ′は、同一であるかまたは異なり、そしてＸおよびＹと同義であり；
ｔは、０〜９であり；
Ｌは、直鎖もしくは分枝鎖の炭素原子１〜１２個のアルキレン、炭素原子５〜１２個のシクロアルキレン、またはシクロヘキシレンもしくはフェニレンで置換もしくは中断されている前記アルキレンであり；あるいはＬはベンジリデン；あるいはＬは、−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、または−ＣＨ2−ＮＨ−Ｅ−ＮＨ−ＣＨ2−であり；
Ｅは、炭素原子２〜１２個のアルキレン、炭素原子５〜１２個のシクロアルキレン、または炭素原子５〜１２個のシクロアルキレンで中断または終端されている前記アルキレンであり；
ｎは、２，３または４であり；
ｎが２であるとき、Ｑは、直鎖もしくは分枝鎖の炭素原子２〜１６個のアルキレン；あるいは１〜３個のヒドロキシ基で置換されている前記アルキレン；あるいは１〜３個の、−ＣＨ＝ＣＨ−または−Ｏ−で中断されている前記アルキレン；あるいは上記の基の組み合わせで置換および中断されている前記アルキレンであり；あるいはＱは、キシリレンまたは基−ＣＯＮＨ−Ｒ8−ＮＨＣＯ−、−ＣＨ2ＣＨ（ＯＨ）ＣＨ2Ｏ−Ｒ9−ＯＣＨ2ＣＨ（ＯＨ）ＣＨ2−、−ＣＯ−Ｒ10−ＣＯ−、または−（ＣＨ2）mＣＯＯ−Ｒ11−ＯＯＣ−（ＣＨ2）m−（式中、ｍは１〜３である）；あるいはＱは、
【化５】
2004532306.tif 000006
であり；
Ｒ9は、炭素原子２〜５０個のアルキレン；あるいは１〜１０個の、−Ｏ−、フェニレンまたは基−フェニレン−Ｇ−フェニレン（式中、Ｇは−Ｏ−、−Ｓ−、−ＳＯ2−、−ＣＨ2−または−Ｃ（ＣＨ3）2−である）で中断されている前記アルキレンであり；
Ｒ10は、炭素原子２〜１０個のアルキレン、または１〜４個の、−Ｏ−、−Ｓ−もしくは−ＣＨ＝ＣＨ−で中断されている前記アルキレンであり；あるいはＲ10は炭素原子６〜１２個のアリーレンであり；
Ｒ11は、炭素原子２〜２０個のアルキレンまたは１〜８個の−Ｏ−で中断されている前記アルキレンであり；
ｎが３であるとき、Ｑは、基−［（ＣＨ2）mＣＯＯ］3−Ｒ12（式中、ｍは１〜３であり、そしてＲ12は炭素原子３〜１２個のアルカントリイルである）であり；
ｎが４であるとき、Ｑは、基−［（ＣＨ2）mＣＯＯ］4−Ｒ13（式中、ｍは１〜３であり、およびＲ14は炭素原子４〜１２個のアルカンテトライルである）であり；
Ｚ1は、式：
【化６】
2004532306.tif 000007
で示される基であり；
Ｚ2は、式：
【化７】
2004532306.tif 000008
で示される基である
（式中、
ｒ1およびｒ2は、互いに独立に、０または１であり；
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、炭素原子２〜１２個のアルコキシカルボニル、またはアミノカルボニルであり；あるいはＲ17およびＲ18またはＲ22およびＲ23は、それらが結合しているフェニル基と一緒になって、１〜３個の、−Ｏ−または−ＮＲ5−で中断されている環状基である）］で示されるｓ−トリアジンＵＶ吸収剤；および
（ｉｉ）窒素原子が水素、アルキル、シクロアルキル、アシルまたはアシルオキシで置換されている置換２，２，６，６−テトラアルキルピペリジン部分を有する、ピペリジン系ヒンダードアミン
の組み合わせであって、（ｉ）の（ｉｉ）に対する重量比が１０：１〜１：１０である組み合わせと、
を含む組成物。
【請求項２】
成分（ｂ）（ｉｉｉ）として、ベンゾトリアゾール、ベンゾフェノン、α−シアノアクリレート、オキサニリド、シンナメート、マロネート、ベンゾエートもしくはサリシレート、またはそれらの混合物であるさらなるＵＶ吸収剤を、追加的に含有する、請求項１に記載の組成物。
【請求項３】
組成物が、フェノール系酸化防止剤、ホスファイト、ニトロン、アミンオキシドもしくはヒドロキシルアミン、またはそれらの混合物である酸化防止剤を、追加的に含有する、請求項１又は２に記載の組成物。
【請求項４】
請求項１〜３のいずれか１項に記載の組成物から製造されるロウソク。
【請求項５】
白色無香；白色芳香；着色無香；着色芳香；浸染無香；または浸染芳香である、ロウソクのワックスを退色に対して安定化させる方法であって、
（ｉ）請求項１で定義された式Ｉ、ＩＩ、ＩＩＩ、ＩＶ、ＶまたはＶＩのｓ−トリアジンＵＶ吸収剤と、
（ｉｉ）窒素原子が水素、アルキル、シクロアルキル、アシルまたはアシルオキシで置換されている置換２，２，６，６−テトラアルキルピペリジン部分を有する、ピペリジン系ヒンダードアミンと、
の組み合わせを組み込み、（ｉ）の（ｉｉ）に対する重量比が１０：１〜１：１０である方法。
【請求項６】
ロウソクのワックスを変色および退色に対して安定化させるための、請求項１で定義された式Ｉ、ＩＩ、ＩＩＩ、ＩＶ、ＶまたはＶＩのｓ−トリアジンＵＶ吸収剤と、窒素原子が水素、アルキル、シクロアルキル、アシルまたはアシルオキシで置換されている置換２，２，６，６−テトラアルキルピペリジン部分を有する、ピペリジン系ヒンダードアミンとの組み合わせの使用。